(57)【要約】【課題】  複合撮影装置のＤＳＣレンズが開放状態で複合撮影装置の電源が遮断された後にＤＶＣモードで電源が印加される場合にも、ＤＳＣレンズを閉鎖状態に転換させることのできる複合撮影装置及びそれを利用したＤＳＣレンズ制御方法を提供する。【解決手段】  ＤＳＣ及びＤＶＣが結合された複合撮影装置は、電源が印加される場合、ＤＳＣレンズの位置を確認するレンズ位置確認部及び前記レンズ位置確認部により前記ＤＳＣレンズが開放状態であると確認されると、前記ＤＳＣレンズを閉鎖状態に転換させる転換部を備える。【選択図】      図１
2005260970.tif 000002
【特許請求の範囲】
【請求項１】
ＤＳＣ及びＤＶＣが結合された複合撮影装置において、
電源が印加される場合、ＤＳＣレンズの位置を確認するレンズ位置確認部と、
前記レンズ位置確認部により前記ＤＳＣレンズが開放状態であると確認されると、前記ＤＳＣレンズを閉鎖状態に転換させる転換部とを備えることを特徴とする複合撮影装置。
【請求項２】
前記ＤＳＣ及び前記ＤＶＣのうち、用いられるモードがどちらであるかを判断する使用モード判断部をさらに備え、前記転換部は、前記使用モード判断部により前記ＤＶＣの使用モードであると判断された場合、前記ＤＳＣレンズを閉鎖状態に転換させることを特徴とする請求項１に記載の複合撮影装置。
【請求項３】
前記使用モード判断部により前記ＤＶＣの使用モードであると判断された場合、前記転換部は、前記ＤＳＣ及び前記ＤＳＣレンズに印加される電源をオフさせることを特徴とする請求項２に記載の複合撮影装置。
【請求項４】
(ａ)ＤＳＣ及びＤＶＣが結合された複合撮影装置に電源が印加される場合、前記ＤＳＣレンズの位置を確認するステップと、
(ｂ)前記ＤＳＣレンズが開放状態であると確認されると、前記ＤＳＣレンズを閉鎖状態に転換させるステップとを含むことを特徴とする複合撮影装置のＤＳＣレンズ制御方法。
【請求項５】
(ｃ)前記ＤＳＣまたは前記ＤＶＣのうち、用いられるモードがどちらであるかを判断するステップをさらに含み、前記(ｃ)ステップにより前記ＤＶＣの使用モードであると判断された場合、前記(ｂ)ステップは、前記ＤＳＣレンズを閉鎖状態に転換させることを特徴とする請求項４に記載の複合撮影装置のＤＳＣレンズ制御方法。
【請求項６】
(ｄ)前記(ｃ)ステップにより前記ＤＶＣの使用モードであると判断された場合、前記ＤＳＣ及び前記レンズに印加される電源をオフさせるステップをさらに含むことを特徴とする請求項５に記載の複合撮影装置のＤＳＣレンズ制御方法。
【請求項７】
ＤＳＣ及びＤＶＣが結合された複合撮影装置において、
前記ＤＳＣの使用モードでＤＳＣレンズの開放/閉鎖状態を格納する格納部と、
前記ＤＶＣの使用モードで電源が印加される場合、前記格納部を介して前記ＤＳＣレンズの状態を判断する状態判断部と、
前記状態判断部により前記ＤＳＣレンズが開放状態であると判断されると、前記ＤＳＣレンズを閉鎖状態に転換させる転換部とを備えることを特徴とする複合撮影装置。
【請求項８】
前記格納部は、ＥＥＰＲＯＭで具現化されることを特徴とする請求項７に記載の複合撮影装置。
【請求項９】
前記転換部は、前記ＤＳＣに電源を印加して前記ＤＳＣレンズを閉鎖状態に転換させることを特徴とする請求項８に記載の複合撮影装置。
【請求項１０】
(ａ)ＤＳＣ及びＤＶＣが結合された複合撮影装置のＤＳＣ使用モードで、ＤＳＣレンズの開放/閉鎖状態を格納するステップと、
(ｂ)ＤＶＣ使用モードで電源が印加される場合、前記(ａ)ステップにより格納された情報に基づいて、前記ＤＳＣレンズの状態を判断するステップと、
(ｃ)前記(ｂ)ステップにより前記ＤＳＣレンズが開放状態であると判断されると、前記ＤＳＣレンズを閉鎖状態に転換させるステップとを含むことを特徴とする複合撮影装置のＤＳＣレンズ制御方法。
【請求項１１】
前記(ａ)ステップは、ＥＥＰＲＯＭに前記ＤＳＣレンズの開放/閉鎖状態を格納することを特徴とする請求項１０に記載の複合撮影装置のＤＳＣレンズ制御方法。
【請求項１２】
前記(ｃ)ステップは、前記ＤＳＣに電源を印加して前記ＤＳＣレンズを閉鎖状態に転換させることを特徴とする請求項１１に記載の複合撮影装置のＤＳＣレンズ制御方法。
【発明の詳細な説明】
【技術分野】
【０００１】
本発明は、複合撮影装置及びそれを利用したＤＳＣ(デジタルスチルカメラ)レンズ制御方法に関し、さらに詳細には、ＤＳＣレンズが開放状態で電源が遮断される場合、ＤＳＣレンズを閉鎖状態に転換することのできる複合撮影装置及びそれを利用したＤＳＣレンズ制御方法に関する。
【背景技術】
【０００２】
一般に、デジタルスチルカメラ(ＤＳＣ)は、レンズを介して入射する画像をデジタル信号に変換して、ハードディスクまたはメモリカードのような記録媒体に格納する。すなわち、撮影された画像をフィルムに記録せずにデジタル信号に変換し、ハードディスク、メモリカードなどの記録媒体に格納し、格納された画像をコンピュータなどのデジタル機器に転送する場合にも、スキャナーなどによるデジタル変換なし直接的な転送が可能である。特に、ＤＳＣは、パーソナルコンピュータとの互換性が高いため、コンピュータに転送された画像を編集及び修正しやすい。また、ＤＳＣは、一般カメラと類似の構造を持っていて携帯が簡便である。このようなＤＳＣは、レンズ装置、メモリ装置、信号変調装置、ディスプレイ装置などを備え、画像を記録する記録媒体の容量の制限性により、停止画を撮影するのに主に用いられる。すなわち、ＤＳＣは、一般に制限された時間以内の動画を撮影できる機能を持っているが、長時間の撮影は実質的に不可能である。このようなＤＳＣの短所を補完するために、撮影される被写体の動画を磁気テープまたはハードディスクのような記録媒体に記録し、記録された動画を再生する装置であるデジタルビデオカメラ（以下、「ＤＶＣ」と記す)が広く普及している。
【０００３】
ＤＶＣは、レンズ装置、信号変換装置、撮影された動画を記録/再生するデッキ装置、ディスプレイ装置などを備える。また、ＤＶＣは、マイク装置及びスピーカ装置を備え、装着された記録媒体に１時間以上の動画の格納が可能である。もちろん、ＤＶＣを利用して停止画の撮影も可能であるが、上述したＤＳＣに比べて画質が落ちるので、主に動画を撮影するのに用いられる。また、ＤＶＣは、ＤＳＣより多い機能と複雑な構成を有しているため、体積が相対的に大きくて高価な場合が一般的である。
【０００４】
ところが、今までは上述したようなＤＳＣ及びＤＶＣの各々の機能を活用するためには、２種類の製品を全て購入しなければならなかった。したがって、消費者にとっては経済的な負担が多くなり、購入後にもＤＳＣ及びＤＶＣの全機能を利用するためには、２製品を全て携帯しなければならないという面倒さがあった。
【０００５】
このような問題点を解決するために開発されたものが、ＤＳＣ及びＤＶＣを１つのケースに一体化したＤＳＣ一体型ＤＶＣであり、「デジタルカメラ/カムコーダ」、複合撮影装置、または略称して「ＤＵＯＣＡＭ」と呼ばれる。
【０００６】
ところが、前記のような複合撮影装置の場合、ＤＳＣレンズが開放状態で複合撮影装置の電源が遮断された後ＤＶＣモードで電源が印加されれば、複合撮影装置がＤＶＣモードで用いられる場合にもＤＳＣレンズは開放状態で維持されるので、ＤＳＣレンズを閉鎖状態に転換するための別途の制御方法が要求される。
【発明の開示】
【発明が解決しようとする課題】
【０００７】
本発明は、上述した従来の問題点を解決するためになされたものであって、その目的は、複合撮影装置のＤＳＣレンズが開放状態において、複合撮影装置の電源が遮断された後にＤＶＣモードで電源が印加される場合にも、ＤＳＣレンズを閉鎖状態に転換させることのできる複合撮影装置及びそれを利用したＤＳＣレンズ制御方法を提供することにある。
【課題を解決するための手段】
【０００８】
上記の目的を達成するための本発明に係る複合撮影装置の一実施例は、ＤＳＣ及びＤＶＣが結合された複合撮影装置において、電源が印加される場合、ＤＳＣレンズの位置を確認するレンズ位置確認部と、前記レンズ位置確認部により前記ＤＳＣレンズが開放状態であると確認されると、前記ＤＳＣレンズを閉鎖状態に転換させる転換部とを備えることを特徴とする。
【０００９】
好ましくは、前記複合撮影装置は、前記ＤＳＣ及び前記ＤＶＣのうち、用いられるモードがどちらであるかを判断する使用モード判断部をさらに備え、前記転換部は、前記使用モード判断部により前記ＤＶＣの使用モードであると判断された場合、前記ＤＳＣレンズを閉鎖状態に転換させる。
【００１０】
この時、前記転換部は、前記使用モード判断部により前記ＤＶＣの使用モードであると判断された場合、前記ＤＳＣ及び前記ＤＳＣレンズに印加される電源をオフ(ｏｆｆ)させることが好ましい。
【００１１】
なお、前記実施例に係る複合撮影装置は、(ａ)ＤＳＣ及びＤＶＣが結合された複合撮影装置に電源が印加される場合、前記ＤＳＣレンズの位置を確認するステップと、(ｂ)前記ＤＳＣレンズが開放状態であると確認されると、前記ＤＳＣレンズを閉鎖状態に転換させるステップとを含むＤＳＣレンズ制御方法を提供する。
【００１２】
好ましくは、前記ＤＳＣレンズ制御方法は、（ｃ)前記ＤＳＣまたは前記ＤＶＣのうち、用いられるモードがどちらであるかを判断するステップをさらに含み、前記（ｂ）ステップは、前記(ｃ)ステップにより前記ＤＶＣの使用モードであると判断された場合、前記ＤＳＣレンズを閉鎖状態に転換させる。
【００１３】
この時、前記ＤＳＣレンズ制御方法は、(ｄ)前記(ｃ)ステップにより前記ＤＶＣの使用モードであると判断された場合、前記ＤＳＣ及び前記レンズに印加される電源をオフさせるステップをさらに含むことが好ましい。
【００１４】
前記目的を達成するための複合撮影装置の他の実施例は、ＤＳＣ及びＤＶＣが結合された複合撮影装置において、前記ＤＳＣの使用モードでＤＳＣレンズの開放/閉鎖状態を格納する格納部と、前記ＤＶＣの使用モードで電源が印加される場合、前記格納部を介して前記ＤＳＣレンズの状態を判断する状態判断部と、前記状態判断部により前記ＤＳＣレンズが開放状態であると判断されると、前記ＤＳＣレンズを閉鎖状態に転換させる転換部と
を備えることを特徴とする。
【００１５】
この時、前記格納部は、ＥＥＰＲＯＭ(エレクトリカリイレーザブルアンドプログラマブル)で具現化されることが好ましい。
【００１６】
また、前記転換部は、前記ＤＳＣに電源を印加して前記ＤＳＣレンズを閉鎖状態に転換させることが好ましい。
【００１７】
なお、前記の他の実施例に係る複合撮影装置は、(ａ)ＤＳＣ及びＤＶＣが結合された複合撮影装置のＤＳＣ使用モードで、ＤＳＣレンズの開放/閉鎖状態を格納するステップと、
(ｂ)ＤＶＣ使用モードで電源が印加される場合、前記(ａ)ステップにより格納された情報に基づいて、前記ＤＳＣレンズの状態を判断するステップと、(ｃ)前記(ｂ)ステップにより前記ＤＳＣレンズが開放状態であると判断されると、前記ＤＳＣレンズを閉鎖状態に転換させるステップとを含むＤＳＣレンズ制御方法を提供する。
【００１８】
この時、前記(ａ)ステップは、ＥＥＰＲＯＭに前記ＤＳＣレンズの開放/閉鎖状態を格納することが好ましい。
【００１９】
また、前記(ｃ)ステップは、前記ＤＳＣに電源を印加して前記ＤＳＣレンズを閉鎖状態に転換させることが好ましい。
【発明の効果】
【００２０】
本発明によれば、複合撮影装置は、ＤＳＣレンズが開放状態で複合撮影装置の電源が遮断された後にＤＶＣモードで電源が印加される場合、ＤＳＣレンズを效率的に閉鎖状態に転換させ得るようになって、ＤＳＣレンズが開放状態のままでＤＶＣ撮影モードを使用したり、撮影モードをＤＳＣモードに転換した後にＤＳＣレンズを閉鎖させた後、再度ＤＶＣモードに転換しなければならなかったりしたユーザの不便さを解消できるようになる。
【発明を実施するための最良の形態】
【００２１】
以下、添付された図面を参照して本発明に係る複合撮影装置及びそれを利用したＤＳＣレンズ制御方法をさらに詳細に説明する。
【実施例】
【００２２】
図１は、本発明に係る複合撮影装置の一実施例を示したブロック図である。図に示しているように、複合撮影装置は、ＤＶＣ撮像部１１０、ＤＶＣ信号処理部１２０、ＤＳＣ撮像部１３０、ＤＳＣ信号処理部１４０、ＤＳＣ  ＣＯＤＥＣ(コーダ/デコーダ)１４５、マイク１５０、画像信号処理部１６０、ディスプレイ部１７０、ＶＣＲ(ビデオカセットレコーダ)部１８０、メモリカード１９０、ＰＣインタフェース部２００、制御部２１０、操作部２２０、フラッシュメモリ２３０及びシステムバス２４０を備える。
【００２３】
ＤＶＣ撮像部１１０は、レンズを介して入射する光信号を電気信号に光電変換し、変換された信号に対して所定の信号処理を行う。ＤＶＣ撮像部１１０は、動画と停止画両方が全て撮像可能である。しかし、ＤＶＣ撮像部１１０で撮像した停止画は、後述するＤＳＣ撮像部１３０で撮像した停止画に比べて画質が落ちる。したがって、ＤＶＣ撮像部１１０は主に動画を撮像するのに用いられる。
【００２４】
ＤＶＣ撮像部１１０は、ＤＶＣレンズ部１１１、ＤＶＣレンズ駆動部１１３、ＤＶＣＣＣＤ(チャージカップルドデバイス)１１５及びＤＶＣ  ＣＤＳ/ＡＧＣ/ＡＤＣ(コリレーテッドダブルサンプラ/自動利得制御器/アナログ−デジタル変換器)１１７を備える。
【００２５】
ＤＶＣレンズ駆動部１１３は、制御部２１０の制御によって、ＤＶＣレンズ部１１１を駆動させる。具体的に、ＤＶＣレンズ駆動部１１３は、制御部２１０の制御によってＤＶＣレンズ部１１１をズームイン/ズームアウトさせ、焦点を自動に調節し、ＤＶＣレンズ部１１１に設けられた絞り(図示せず)の開閉量を調節する。
【００２６】
ＤＶＣ  ＣＣＤ１１５は、ＤＶＣレンズ部１１１を介して入射する光学像を電気信号に変換して出力する。すなわち、被写体の光学像は、ＤＶＣレンズ部１１１によりＤＶＣ  ＣＣＤ１１５の光学面上に像が結ばれ、ＤＶＣ  ＣＣＤ１１５は、感光面上に結像された光学像を電気信号に変換し、水平と垂直の走査により１次元の電気信号の形態で出力する。
【００２７】
ＤＶＣ  ＣＤＳ/ＡＧＣ/ＡＤＣ１１７は、ＣＤＳ(相関二重サンプラ)を使用して、ＤＶＣ  ＣＣＤ１１５から出力される信号からノイズを除去し、ＡＧＣ(自動利得制御部)を用いて信号のレベルが一定に維持されるように利得を調整し、ＡＤＣを用いてデジタル信号に変換する。
【００２８】
ＤＶＣ信号処理部１２０は、ＤＶＣ撮像部１１０から印加された信号に対して、所定の信号処理をして画像信号処理部１６０に印加する。具体的に、ＤＶＣ信号処理部１２０は、印加される信号に対して、輝度(Ｙ)信号とクロマ(Ｃ)信号とに分離し、利得調整、輪郭補正及びＡＷＢ(自動白バランス)などを行い、解像度を変更する。
【００２９】
マイク１５０は、外部から入力される音響を電気信号に変換する。
【００３０】
画像信号処理部１６０は、ＤＶＣ信号処理部１２０で信号処理された画像信号をディスプレイ部１７０に印加する。この際、画像信号処理部１６０は、操作部２２０を介して入力されたユーザの「撮影命令」を制御部２１０から伝達され、受信された撮影命令に対応してＤＶＣ信号処理部１２０の出力信号をＤＶフォーマットの信号に圧縮する。
【００３１】
また、画像信号処理部１６０は、マイク１５０の出力信号をデジタル信号に変換し、変換した信号をＰＣＭフォーマットの信号に圧縮する。画像信号処理部１６０は、記録対象となる圧縮された信号を制御部２１０の制御によってＶＣＲ部１８０に印加する。
【００３２】
一方、複合撮影装置が「ＶＣＲ再生」モードで動作する場合、画像信号処理部１６０は、制御部２１０の制御によって、再生対象となる圧縮された画像信号をＶＣＲ部１８０から印加される。そして、画像信号処理部１６０は、印加された圧縮された画像信号を伸張してディスプレイ部１７０に印加する。
【００３３】
ＤＳＣ撮像部１３０は、レンズを介して入射する光信号を電気信号に光電変換し、変換した信号に対して所定の信号処理過程を行う。ＤＳＣ撮像部１３０は、動画と停止画全てが撮像可能である。しかし、ＤＳＣ撮像部１１０で撮像した動画のデータ容量は、上述したＤＶＣ撮像部１１０で撮像した動画のデータ容量よりはるかに大きい。その結果、動画データを記録媒体に記録する時、多くの格納空間が必要となるので、長時間の動画撮影が不可能である。したがって、ＤＳＣ撮像部１３０は、主に停止画を撮像するのに用いられる。
【００３４】
ＤＳＣ撮像部１３０は、ＤＳＣレンズ部１３１、ＤＳＣレンズ駆動部１３３、ＤＳＣ  ＣＣＤ１３５及びＤＳＣ  ＣＤＳ/ＡＧＣ/ＡＤＣ１３７を備える。
【００３５】
ＤＳＣレンズ駆動部１３３は、制御部２１０の制御によってＤＳＣレンズ部１３１を駆動させる。具体的に、ＤＳＣレンズ駆動部１３３は、制御部２１０の制御によってＤＳＣレンズ部１３１をズームイン/ズームアウトさせて焦点を自動に調節し、ＤＳＣレンズ部１３１に設けられた絞り(図示せず)の開閉量を調節する。ＤＳＣレンズのズームインは、撮影される被写体を拡大撮影するための状態であり、ＤＳＣレンズのズームアウトは、撮影される被写体をそのまま撮影するための状態のことを言う。複合撮影装置のＤＳＣ撮像部１３０を利用して被写体を撮影するためのＤＳＣレンズのズームイン/ズームアウト状態を統合して、「ＤＳＣレンズ開放状態」と称し、ＤＳＣ撮像部１３０を利用した被写体の撮影を遮断した状態を「ＤＳＣレンズ閉鎖状態」と称する。
【００３６】
ＤＳＣ  ＣＣＤ１３５は、ＤＳＣレンズ部１３１を介して入射する光学像を電気信号に変換させて出力する。
【００３７】
ＤＳＣ  ＣＤＳ/ＡＧＣ/ＡＤＣ１３７は、ＣＤＳを使用してＤＳＣ  ＣＣＤ１３５から出力される信号からノイズを除去し、ＡＧＣを使用して信号のレベルが一定に維持されるように利得を調整し、ＡＤＣを使用してデジタル信号に変換する。
【００３８】
ＤＳＣ信号処理部１４０は、ＤＳＣ撮像部１３０から印加された信号に対して、所定の信号処理を行う。具体的に、ＤＳＣ信号処理部１４０は、印加される信号に対して輝度(Ｙ)信号とクロマ(Ｃ)信号とに分離し、利得調整、輪郭補正及びＡＷＢなどを行い、解像度を変更する。
【００３９】
ＤＳＣ  ＣＯＤＥＣ１４５は、ＤＳＣ信号処理部１４０で信号処理された画像信号をディスプレイ部１７０に印加する。
【００４０】
この場合、ＤＳＣ  ＣＯＤＥＣ１４５は、操作部２２０を介して入力されたユーザの「撮影命令」を制御部２１０から伝達されると、ＤＳＣ信号処理部１４０の出力信号をＪＰＥＧフォーマットの信号に圧縮する。そして、圧縮された信号を制御部２１０の制御によって、メモリカード１９０に記録する。
【００４１】
一方、複合撮影装置が「メモリカード再生」モードで動作する場合、ＤＳＣ  ＣＯＤＥＣ１４５は、制御部２１０の制御によって、再生対象となる圧縮された画像信号をメモリカード１９０から印加される。そして、ＤＳＣ  ＣＯＤＥＣ１４５は、印加された圧縮された画像信号を伸張してディスプレイ部１７０に印加する。
【００４２】
ディスプレイ部１７０は、画像信号処理部１６０とＤＳＣ  ＣＯＤＥＣ１４５から出力される画像をディスプレイする。このような機能を行うディスプレイ部１７０は、ＯＳＤ(オンスクリーンディスプレイ)部１７１、ＮＴＳＣ/ＰＡＬエンコーダ１７３及びＬＣＤ(液晶表示器)１７５を備える。
【００４３】
ＯＳＤ部１７１には、ＯＳＤ文字とＧＵＩ(グラフィックユーザインタフェース)環境の構築に必要なメニュー画面のようなＧＵＩデータなどが格納される。そして、ＯＳＤ部１７１は、制御部２１０の制御により、画像信号処理部１６０とＤＳＣ  ＣＯＤＥＣ１４５から出力される画像に、ＯＳＤ文字やＧＵＩデータを組み合わせることができる。
【００４４】
ＮＴＳＣ／ＰＡＬエンコーダ１７３は、ＯＳＤ部１７１から出力される画像信号をＮＴＳＣ方式やＰＡＬ方式の画像信号に変換して、ＬＣＤ１７５と外部装置であるＴＶとに印加する。
【００４５】
ＬＣＤ１７５は、ＮＴＳＣ/ＰＡＬエンコーダ２４１から印加された画像が表示されるディスプレイ装置である。
【００４６】
ＶＣＲ部１８０は、画像信号処理部１６０から出力される画像信号を記録したり、記録された画像信号を読み出して画像信号処理部１６０に印加したりする。ＶＣＲ部１８０は、ＶＣＲデッキ部１８１とＶＣＲテープ１８３とを備える。
【００４７】
ＶＣＲテープ１８３は、画像信号が記録される磁気記録媒体であって、ＶＣＲデッキ部１８１に結合及び分離することが可能である。
【００４８】
ＶＣＲデッキ部１８１は、画像信号処理部１６０から印加された画像信号をＶＣＲテープ１８３に記録したり、ＶＣＲテープ１８３に記録された画像信号を読み出して画像信号処理部１６０に印加したりする。
【００４９】
メモリカード１９０は、ＤＳＣ  ＣＯＤＥＣ１４５から印加された画像信号が記録される記録媒体であって、複合撮影装置に結合及び分離することが可能である。
【００５０】
ＰＣインタフェース部２００は、外部装置であるＰＣまたはプリンタとインタフェースを行う。
【００５１】
制御部２１０は、操作部２２０を介して入力されるユーザの操作命令によって、複合撮影装置の全般的な動作を制御する。特に、制御部２１０は、ユーザの設定によってＤＶＣ撮像部１１０とＤＳＣ撮像部１３０のうち、いずれかにより撮像動作が行われるように制御する。制御部２１０は、主制御部２１１及びＤＳＣ制御部２１３を備える。
【００５２】
主制御部２１１は、操作部２２０を介してユーザの操作命令を受け取り、それによりＤＶＣレンズ駆動部１１３、ＤＶＣ信号処理部１２０、画像信号処理部１６０、ＯＳＤ部１７１、ＶＣＲデッキ部１８１及びＰＣインタフェース部２００の動作を制御する。そして、主制御部２１１は、ＤＳＣ制御部３１２の制御動作を制御する。また、主制御部２１１は、複合撮影装置に電源が印加される場合、ＤＶＣ撮像部１１０及びＤＳＣ撮像部１３０のうち、用いられるモードがどちらであるかを判断する使用モード判断部２１１ａを備える。使用モード判断部２１１ａは、複合撮影装置に電源が印加されれば、電源が印加された初期状態で複合撮影装置がＤＶＣ撮影モードであるのか、またはＤＳＣ撮影モードであるのかを判断する。
【００５３】
ＤＳＣ制御部２１３は、主制御部２１１の制御によって、ＤＳＣレンズ駆動部１３３、ＤＳＣ信号処理部１４０、ＤＳＣ  ＣＯＤＥＣ１４５の動作を制御する。ここで、ＤＳＣ制御部２１３は、レンズ位置確認部２１３ａ及び転換部２１３ｂを備える。
【００５４】
レンズ位置確認部２１３ａは、複合撮影装置に電源が印加される場合、ＤＳＣレンズの位置を確認する。すなわち、複合撮影装置に電源が印加されると、レンズ位置確認部２１３ａは、ＤＳＣレンズがズームイン状態にあるか、またはズームアウト状態にあるかを判断する。この場合、ＤＳＣレンズの位置がズームイン状態にあると確認されると、レンズ位置確認部２１３ａは、ＤＳＣレンズが開放状態にあると判断し、ＤＳＣレンズの位置がズームアウト状態にあると確認されると、ＤＳＣレンズ部１３１を介してＤＳＣレンズが開放状態にあるか閉鎖状態にあるかを確認する。ＤＳＣレンズの開放状態及び閉鎖状態は、ＤＳＣレンズ部１３１の絞りの開閉により確認されることができる。
【００５５】
転換部２１３ｂは、レンズ位置確認部２１３ａによりＤＳＣレンズが開放状態であると確認されると、ＤＳＣレンズを閉鎖状態に転換させる。ここで、転換部２１３ｂは、使用モード判断部２１１ａにより複合撮影装置の使用モードがＤＶＣ撮影モードであると判断された場合、ＤＳＣレンズを閉鎖状態に転換させることが好ましい。この時、一般的に複合撮影装置がＤＳＣ撮影モードで用いられる場合、ＤＳＣレンズ部１３１は、ＤＳＣレンズをズームイン状態に位置させるので、この場合、転換部２１３ｂは、ＤＳＣレンズ駆動部１３３を介してＤＳＣレンズをズームアウト状態に転換させた後、ＤＳＣレンズを閉鎖状態に転換させることが好ましい。また、レンズ位置確認部２１３ａによりＤＳＣレンズ委位置がズームアウト状態にあると確認されると、転換部２１３ａは、ＤＳＣレンズの位置をズームアウト状態に維持しつつ、ＤＳＣレンズを閉鎖状態に転換させることが好ましい。
【００５６】
フラッシュメモリ２３０は、主制御部２３０において必要なブートプログラムなど装置の動作に必要なシステムプログラム、及び電源が消えても格納されるべき重要なデータと応用プログラムなどが格納される。
【００５７】
操作部２２０は、複合撮影装置の機能選択及び動作制御と関連した操作命令を受け取るためのユーザインタフェース装置である。
【００５８】
図２は、図１の複合撮影装置によるＤＳＣレンズ制御方法を示したフローチャートである。図面を参照して図１の複合撮影装置によるＤＳＣレンズ制御方法を詳細に説明する。
【００５９】
複合撮影装置に電源が印加されると(Ｓ２０１)、ＤＳＣ制御部２１３のレンズ位置確認部２１３ａは、ＤＳＣレンズ部１３１またはＤＳＣレンズ駆動部１３３を介してＤＳＣレンズの位置を確認する(Ｓ２０３)。この場合、レンズ位置確認部２１３ａは、ＤＳＣレンズの位置がズームイン状態であるか、またはズームアウト状態であるかを判断する。この時、ＤＳＣレンズの位置がズームイン状態にある場合、レンズ位置確認部２１３ａは、ＤＳＣレンズが開放状態にあると判断し、ＤＳＣレンズがズームアウト状態にある場合、レンズ位置確認部２１３ａは、ＤＳＣレンズ部１３１を介してＤＳＣレンズの絞りが開放されているか閉鎖されているかを判断することによって、ＤＳＣレンズの開放/閉鎖状態を確認する。
【００６０】
レンズ位置確認部２１３ａによりＤＳＣレンズが開放状態にあると確認されると(Ｓ２０５)、使用モード判断部２１１ａは、複合撮影装置の使用モードがＤＶＣ撮影モードであるか、またはＤＳＣ撮影モードであるかを判断する(Ｓ２０７)。ここで、レンズ位置確認部２１３ａによりＤＳＣレンズが開放状態であると判断された場合、使用モード判断部２１１ａが複合撮影装置の使用モードを判断すると説明したが、使用モード判断部２１１ａにより複合撮影装置の使用モードが先に判断された後に、レンズ位置確認部２１３ａによるＤＳＣレンズの位置が確認される過程で行なわれてもよい。
【００６１】
使用モード判断部２１１ａにより複合撮影装置の使用モードがＤＶＣ撮影モードであると判断されると(Ｓ２０９)、ＤＳＣ制御部２１３の転換部２１３ｂは、ＤＳＣ撮像部１３０に電源が印加されるようにし(Ｓ２１１)、ＤＳＣレンズ駆動部１３３を制御してＤＳＣレンズを閉鎖状態に転換させる(Ｓ２１３)。また、転換部２１３ｂは、ＤＳＣレンズが閉鎖された後には、ＤＳＣ撮像部１３０の電源をオフ(ＯＦＦ)状態で遮断して、複合撮影装置の電源が低減されるようにする(Ｓ２１５)。
【００６２】
複合撮影装置に電源が印加された後、ＤＳＣレンズが開放状態であると判断された場合には、使用モード判断部２１１ａにより複合撮影装置の使用モードがＤＶＣ撮影モードでないと判断された場合、すなわち、ＤＳＣ撮影モードであると判断された場合には、ＤＳＣ撮像部１３０に印加される電源を維持して、ＤＳＣ撮像部１３０による画像の撮影が行なわれるようにする(Ｓ２１７)。
【００６３】
図３は、本発明に係る複合撮影装置の他の実施例を示したブロック図である。同図に示しているように、複合撮影装置は、ＤＶＣ撮像部１１０、ＤＶＣ信号処理部１２０、ＤＳＣ撮像部１３０、ＤＳＣ信号処理部１４０、ＤＳＣ  ＣＯＤＥＣ１４５、マイク１５０、画像信号処理部１６０、ディスプレイ部１７０、ＶＣＲ部１８０、メモリカード１９０、ＰＣインタフェース部２００、制御部２１０、操作部２２０、フラッシュメモリ２３０、ＥＥＰＲＯＭ２３５及びシステムバス２４０を備える。本発明に係る複合撮影装置の実施例において、前記と同じ構成要素に対しては同じ番号を付し、その動作及び作用は上述したことと同様であるため、その繰り返しの説明は省略する。
【００６４】
主制御部２１１は、状態判断部２１１ｂ及び転換部２１１ｃを備える。状態判断部２１１ｂは、ＤＶＣの使用モードで電源が印加される場合にＥＥＰＲＯＭ２３５を検索し、ＥＥＰＲＯＭ２３５に格納された情報に応じて、ＤＳＣレンズの開放/閉鎖状態を判断する。
【００６５】
転換部２１１ｃは、状態判断部２１１ｂによりＤＳＣレンズが開放状態であると判断された場合、ＤＳＣレンズを閉鎖状態に転換させる。
【００６６】
ＥＥＰＲＯＭ２３５は、複合撮影装置がＤＳＣ撮影モードで用いられる場合、ＤＳＣレンズの開放/閉鎖状態及びＤＳＣレンズのズームイン/ズームアウト状態を格納する。すなわち、ＤＳＣ撮影モードでユーザがＤＳＣレンズをズームイン/ズームアウト転換したり、複合撮影装置の撮影モードをＤＶＣ撮影モードに転換する場合のＤＳＣレンズのズームイン/ズームアウト状態及び開放/閉鎖状態を格納する。
【００６７】
図４は、図３の複合撮影装置によるＤＳＣレンズ制御方法を示したフローチャートである。同図に基づいて本発明に係る複合撮影装置の動作及び作用を詳細に説明する。
【００６８】
主制御部２１１は、複合撮影装置のＤＳＣ撮影モードでＤＳＣレンズがズームイン/ズームアウト転換される場合、またはＤＳＣ撮影モードでＤＶＣ撮影モードに転換される場合に、ＤＳＣレンズのズームイン/ズームアウト状態及びＤＳＣレンズの開放/閉鎖状態をＥＥＰＲＯＭ２３５に格納させる(Ｓ４０１)。ＤＳＣレンズがズームイン状態である場合、主制御部２１１は、ＤＳＣレンズを開放状態であると認識し、ＤＳＣレンズがズームアウト状態である場合には、ＤＳＣレンズ部１３１を介してＤＳＣレンズの開放/閉鎖状態を判断する。
【００６９】
複合撮影装置の電源がオフされた後、ＤＶＣ撮影モードで電源が再印加されると(Ｓ４０３)、状態判断部２１１ｂは、ＥＥＰＲＯＭ２３５に格納されたＤＳＣレンズの状態情報に基づいて、ＤＳＣレンズの現在の状態を判断する(Ｓ４０５)。すなわち、複合撮影装置の電源がオフされる前に、ＤＳＣレンズがズームイン状態で格納されたた場合、状態判断部２１１ｂは、ＤＳＣレンズの現在状態は開放状態であると判断する。また、複合撮影装置の電源がオフされる前にＤＳＣレンズがズームアウト状態である場合にも、ＥＥＰＲＯＭ２３５に格納されたＤＳＣレンズの状態が閉鎖状態である場合、状態判断部２１１ｂは、現在のＤＳＣレンズの状態は閉鎖状態であると判断する。
【００７０】
状態判断部２１１ｂによりＤＳＣレンズの状態が開放状態であると判断されると(Ｓ４０７)、転換部２１１ｃは、ＤＳＣ撮像部１３０に電源を印加して(Ｓ４０９)、ＤＳＣレンズを閉鎖状態に転換させ(Ｓ４１１)、ＤＳＣレンズが閉鎖状態に転換された後に再度ＤＳＣ撮像部１３０に印加される電源をオフ状態に転換させて、ＤＳＣ撮像部１３０に印加される電源を遮断する(Ｓ４１３)。
【００７１】
これにより、本発明に係る複合撮影装置は、ＤＳＣレンズが開放状態で複合撮影装置の電源が遮断された後にＤＶＣモードで電源が印加される場合、ＤＳＣレンズを效率的に閉鎖状態に転換させることができるようになる。
【図面の簡単な説明】
【００７２】
【図１】本発明に係る複合撮影装置の一実施例を示したブロック図である。
【図２】図１の複合撮影装置によるＤＳＣレンズ制御方法を示したフローチャートである。
【図３】本発明に係る複合撮影装置の他の実施例を示したブロック図である。
【図４】図３の複合撮影装置によるＤＳＣレンズ制御方法を示したフローチャートである。
【符号の説明】
【００７３】
１１０    ＤＶＣ撮像部
１２０    ＤＶＣ信号処理部
１３０    ＤＳＣ撮像部
１４０    ＤＳＣ信号処理部
１５０    マイク
２１１    主制御部
２１１ａ  使用モード判断部
２１１ｂ  状態判断部
２１１ｃ  転換部
２１３ａ  レンズ位置確認部
２３５    格納部
【図１】
2005260970.tif 000003
【図２】
2005260970.tif 000004
【図３】
2005260970.tif 000005
【図４】
2005260970.tif 000006